(57)【特許請求の範囲】
【請求項１】
水を電離する水電離手段と、前記水電離手段により電離した水の表面水を気化させる表面水気化手段を備え、前記表面水気化手段が、電離した表面水の上澄みの表面水を集水する表面水集水手段と前記表面水集水手段により集水された電離した表面水の上澄みの表面水を超音波気化させる超音波気化手段を備えてなる気化器。
【請求項２】
水電離手段が、磁石で水に磁場を与える、電磁石で水に電磁場を与える、あるいは電気石を水に浸漬することであることを特徴とする請求項１記載の気化器。
【発明の詳細な説明】
【０００１】
【発明の属する技術分野】
本発明は、還元性を持つ負イオン微小水クラスターを気化し、皮膚への保湿効果、肌、のどへの潤い、活性酸素中和機能、鮮魚等の水産物の鮮度維持、花の寿命維持、青果物の鮮度維持、洗浄・空気浄化、または加湿、あるいは治療等に使用される気化器に関する。
【０００２】
【従来の技術】
従来、この種の気化器について図９を参照しながら説明する。
（例えば、特許文献１参照）。
【０００３】
図に示すように、本体１０１には加熱釜１０２が設けられ、加熱釜１０２は底部で水槽１０３と連通管１０４により連通されている。水槽１０３には給水タンク１０５から水が補給される。加熱釜１０２の側周部には発熱体１０６が設けられ、加熱釜１０２内の水が発熱体１０６により加熱され気化される。送風機１０７により気流が１０８から送られ、気化した水蒸気が吹出し口１０９から供給される。
【０００４】
【特許文献１】
特開平０７−１９０４２４号公報（第３−５頁、図１）
【０００５】
【発明が解決しようとする課題】
このような従来の水の霧化、または噴霧を含む気化では、気化水中の水クラスターが大きく、気化水の肌等の物体への浸透性に劣るという課題があり、また、気化水が電離していないため還元性を持つ負イオンＯＨ-（Ｈ2Ｏ）ｎ、ｎ＝１、２、３・・が生成しておらず、皮膚、肌等での活性酸素中和機能、リラクゼーション効果に劣るという課題があり、霧化、または噴霧を含む気化水中の水クラスターを微小化させ、負イオンを多量に生成させ、浸透性に優れ、活性酸素中和機能、リラクゼーション効果のある負イオン微小水クラスターを気化することが要求されている。本発明は、このような従来の課題を解決するものであり、還元性のある多量の負イオン微小水クラスターを気化、霧化、または噴霧することができ、効率良く、簡便なコンパクトな機構で、省エネルギーで、負イオン微小水クラスターを気化、霧化、または噴霧することができる気化方法あるいは気化器を提供することを目的としている。
【００２６】
【課題を解決するための手段】
本発明は上記目的を達成するために、本発明の第一の手段は、水を電離する水電離手段と、前記水電離手段により電離した水の表面水を気化させる表面水気化手段を備え、前記表面水気化手段が、電離した表面水の上澄みの表面水を集水する表面水集水手段と前記表面水集水手段により集水された電離した表面水の上澄みの表面水を超音波気化させる超音波気化手段を備えてなる気化器としたものである。また本発明の第二の手段は、水電離手段が、磁石で水に磁場を与える、電磁石で水に電磁場を与える、あるいは電気石を水に浸漬することであることを特徴とする請求項１記載の気化器としたものである。
【００２７】
本発明によれば、小型化でき簡便で効率良く、多量の負イオン微小水クラスターを気化することのできる気化器が得られる。
【００４５】
【発明の実施の形態】
本発明は、水を電離する水電離手段と、前記水電離手段により電離した水の表面水を気化させる表面水気化手段を備え、前記表面水気化手段が、電離した表面水の上澄みの表面水を集水する表面水集水手段と前記表面水集水手段により集水された電離した表面水の上澄みの表面水を超音波気化させる超音波気化手段を備えてなる気化器としたものであり、また、水電離手段が、磁石で水に磁場を与える、電磁石で水に電磁場を与える、あるいは電気石を水に浸漬することであることを特徴とする請求項１記載の気化器としたものであり、簡便で効率良く、水の対流を起すことなく、水面付近の微小水クラスター、負イオンＯＨ−（Ｈ２Ｏ）ｎ、ｎ＝１、２、３・・を効率良く選択的に空気中に気化させることができるという作用を有する。
【００４９】
なお、電気２重層に関しては、新版静電気ハンドブック（静電気学会、株式会社オーム社、平成１０年１１月２５日）の１０６０頁の第４行目〜第１１行目の「水と空気の界面では、図２１・３５に示すように、水分子の配向双極子が負電荷を外側に、正電荷を水の内部に向けて配列する。液面付近には配向双極子の正電荷に負イオンが引き付けられ、固体／液体界面での特異吸着の場合のように、水／空気界面に負イオンの一部が束縛される。正イオンは比較的自由で、水の内部に拡散して界面に電気２重層を形成する」の記載がある。本願は、ｐＨ７〜８．６の弱アルカリ水、あるいは電離により生じた水面付近の微小水クラスター、負イオンＯＨ-（Ｈ2Ｏ）ｎ、ｎ＝１、２、３・・を、効率的に、正イオンに比べて、負イオンを多く気化させるという作用を有する。
【００５０】
以下、本発明の実施例について図面を参照しながら説明する。なお、従来例と同一部分については、同一番号を附し、詳細な説明は省略する。
【００５１】
【実施例】
（実施例１）
図１および図２に示すように、水槽１０３内に水道水の水質基準値であるｐＨ７〜８．６の弱アルカリ水が設けられ、水槽１０３の上方には、水槽内の表面水を気化させる赤外ランプ１が設けられている。
【００５２】
上記構成において、負イオン２であるＯＨ-（Ｈ2Ｏ）ｎ、ｎ＝１、２、３・・が水面付近に一種の単分子膜的に形成され、水面を赤外ランプ１で照射すれば、微小水クラスター、負イオン２であるＯＨ-（Ｈ2Ｏ）ｎ、ｎ＝１、２、３・・が空気中に気化し、正イオン３に比べて負イオン２リッチな空気雰囲気環境が形成される。飲料水の基準である水道水質基準値のｐＨ７〜８．６の弱アルカリ水が良く、ミネラル分であるＮａ、Ｋ等を含む水であれば、Ｎａ、Ｋ等のミネラル分も気化され、肺からの吸収が期待でき、健康に良い。また、負イオン２であるＯＨ-（Ｈ2Ｏ）ｎ、ｎ＝１、２、３・・は還元性持ち、体内、あるいは体表面の活性酸素を中和する。表面水でなく、ｐＨ７〜８．６の弱アルカリ水を噴霧、あるいは全体加熱により気化させて、負イオン２であるＯＨ-（Ｈ2Ｏ）ｎ、ｎ＝１、２、３・・リッチな空気環境を形成しても良い。
【００５３】
なお、気化は、表面水を効率的に空気中に移行できれば良く、霧化、噴霧、微細水滴あるいは超微細水滴等によるの空気中への蒸散、移行、放出等を含む。
【００５４】
図３に示すように、水槽１０３内に正電極４と負電極５が設けられ、正電極４と負電極５に通電する直流電源６が設けられている。水槽１０３の上方には、水槽内の表面水を気化させる赤外線ランプ１が設けられている。
【００５５】
上記構成において、直流電源６より正電極４と負電極５間に通電させると水槽１０３内の水が電離し、水素イオンＨ+（ヒドロニウムイオンＨ3Ｏ+）と水酸イオンＯＨ-（Ｈ2Ｏ）ｎ、ｎ＝１、２、３・・が発生する。
【００５６】
なお、水を電離し還元性を持つ負イオン微小水クラスターを発生できれば、直流電圧印加の変わりに交流電圧印加でも良く、水は水溶液でも良い。
【００５７】
水が電離あるいは、水の電気分解電解圧以下で電離した電離水中には水酸イオンＯＨ-（Ｈ2Ｏ）ｎ、ｎ＝１、２、３・・が生成し、水／空気界面での電気２重層により、水と空気との境界面、すなわち水の表面一面に集まり、水面に一種の単分子膜を構成する。水面下では、水が電離した正イオンと負イオンとが混在して存在する。電離した場合、負イオンと正イオン同数存在するが、水面付近は負イオン濃度が正イオン濃度に比べてより高濃度に存在するため、表面水を気化すれば、効率的に微小水クラスター、負イオンが得られる。なお、水酸イオンＯＨ-（Ｈ2Ｏ）ｎ、ｎ＝１、２、３・・のｎの値が小さいほど、水分子、水クラスターは小さくなり、浸透力が増大する。
【００５８】
水が電離した表面水に赤外ランプ１により熱線を照射すると、表面水が温められ、水面一面に形成された水膜状の負イオンである水酸イオンＯＨ-（Ｈ2Ｏ）ｎ、ｎ＝１、２、３・・を気化、すなわち、還元性を持ち、水クラスターの小さい負イオン２を選択的に効率的に気化することができ、正イオン３に比べて、負イオン２を多量に選択的に気化させることができる。負イオンである気化した水酸イオンＯＨ-（Ｈ2Ｏ）ｎ、ｎ＝１、２、３・・は還元性、活性酸素中和機能を持ち、またクラスターが小さいため、浸透性が良く、肌、あるいは髪の毛等の生体に浸透し肌あるいはのどにうるおいを持たせ、保湿し、または、肌、髪の毛等の生体にとって大敵である酸化性物質、ラジカル性物質、ガン要因性物質等の酸化反応物質を中和、除去し、健康な状態を維持、増進することができる。一般的に負イオンは副交感神経を刺激し、リラクゼーションをもたらし、他方、正イオンは交感神経を刺激し、緊張感をもたらすと言われている。なお、気化の概念には、蒸発、霧化、噴霧等による水の大気中への移行、気化も含む。電離した水のｐＨは中性付近から略９あるいは略９．５程度、望ましくは水道水の水質基準であるｐＨ５．８から８．６程度が良い。電離する水の対象は水溶液でも良く、電離により安全な負イオンを発生できれば良い。
【００５９】
水を電離、あるいは水の分解電圧以下に水を電離させる方法としては、異電極間通電の他に、磁場、電磁場、電場、電気石の浸漬、超音波照射、水の噴霧等、水にエネルギーを供給し、電離させる方法がある。なお、水は水溶液でも良い。
【００６０】
磁石、あるいは電磁石等で水に磁場、あるいは電磁場を与えると、フレミング則により水分子の運動方向および磁場の直角方向に電流が流れ、水が電離する。水の電離により、負イオン２である水酸イオンＯＨ-（Ｈ2Ｏ）ｎ、ｎ＝１、２、３・・が生成する。
【００６１】
図４に示すように、電気石７を水槽１０３内の水に浸漬すると、微弱通電、あるいは微弱電場等により、水が微弱に電離し、負イオン２である水酸イオンＯＨ-（Ｈ2Ｏ）ｎ、ｎ＝１、２、３・・が生成する。
【００６２】
電場を与えての電場を作用、あるいは超音波作用、水噴霧作用等の水にエネルギーを印加しても、これらの作用後の水面に、同様に負イオン２である水酸イオンＯＨ-（Ｈ2Ｏ）ｎ、ｎ＝１、２、３・・等の水膜が生成する。電場の一例として、絶縁した電極を水に浸漬し交流電圧を印加して電場を与え水を電離し負イオンを発生させる方法があり、また水にエネルギーを印加する方法の一例として、水中でポンプ等により噴流を起し水の摩擦等で水溶液を電離させ負イオンを生成させる方法がある。水噴流、水噴霧等水分子同士、あるいは水分子と他の物質とを摩擦し負イオンを発生させる場合は、水溶液は純水に近い方がより負イオンを発生し易い。
【００６３】
図５に示すように、電離した表面水を不織布等の吸水性の布８を布８の一端９を水槽１０３内の水面付近に設け、他端１０を水槽上部の空気中に設けた状態で、吸水性の布８をエンドレスに回転させることにより、不織布等の吸水性の布８が電離した表面水である負イオンの水酸イオンＯＨ-（Ｈ2Ｏ）ｎ、ｎ＝１、２、３・・等を吸水し、吸水した不織布が回転で上部に上がり、そこに通気すれば、通気により吸水した不織布から負イオンである水酸イオンＯＨ-（Ｈ2Ｏ）ｎ、ｎ＝１、２、３・・が気化する。正イオンに比べて、負イオンを多く、多量に気化させることができる。布８の一端９を浮き等で適宜設計すれば、一端９を常に水槽１０３内の水面付近に設けることができる。
【００６４】
図６に示すように、電離した表面水を堰１１で上澄みの表面水を集水槽１２に集水し、集水により多量の負イオンを含む表面水が得られ、その高濃度の負イオンを含む水を超音波振動子１３を作動させて、気化、霧化、噴霧することにより、負イオン２である水酸イオンＯＨ-（Ｈ2Ｏ）ｎ、ｎ＝１、２、３・・が気化、霧化、あるいは噴霧されることとなる。正イオン３に比べて、負イオン２を多く、多量に気化させることができる。超音波振動子１３は図示はしていないが、超音波発信回路により駆動される。
【００６５】
図４に示すように、水を電離させる手段である電気石を水の表面付近に設けると、電離した負イオンである水酸イオンＯＨ-（Ｈ2Ｏ）ｎ、ｎ＝１、２、３・・の生成する場が水面付近のため、効率良く短時間で、水の対流を起すことなく水の表面付近に負イオンを集めることができ、高濃度の負イオを含む表面水を赤外線等で加熱すれば、負イオンを高濃度で気化することができる。
【００６６】
参考例として、図７に示すように、水を気化させる手段として、超音波振動子１３を水槽１０３内に設け、超音波振動子１３を作動させると水が気化、噴霧される。霧化した水は電磁石１４により生成した電磁場内１５を通過時に、フレミング則により磁場と霧化水運動方向との直角方向に電流が流れ、霧化水が電離する。電離により、負イオン２である水酸イオンＯＨ-（Ｈ2Ｏ）ｎ、ｎ＝１、２、３・・が生成し、送風（矢印）により空気中に供給される。超音波振動子１３は図示はしていないが、超音波発信回路により駆動される。電磁石１４は永久磁石、磁石等磁場を発生できるのもであれば良い。電磁石１４は絶縁されている。
【００６７】
電磁場の発生に併せて、簡便な方法で自在に、水クラスターが小さく、還元性を持つ負イオンが空気中に供給される。
【００６８】
参考例として、図８に示すように、水槽１０３内の水に医薬品１６を溶解させ薬液としその医薬品溶解液である薬液を微細水滴、超微細水滴化し、電磁場内１５を通過させれば、薬液の液滴１７が電離し、薬液の液滴１７の外周側が負イオン２となり、薬液の内側に医薬品１６がおさまり、薬液の外周側が負イオン、アルカリのため、体内もアルカリであり、肺胞への途中で体内に吸着されることなく、肺まで送られ肺での吸収の収率が高められることとなる。医薬品としては抗がん剤等、血液経由で治療対象領域に送られる場合、本法によれば、注射針を使用することなく、肺から吸収され血液を通って途中で吸着されることなく、対象ガン局所領域での血管の孔、透過経路から、効率の良いガン細胞への投与が可能となる。抗がん剤等の医薬品、あるいはその薬物キャリアの表面が疎水性、あるいは正電荷を持つ場合、体内がアルカリ、負イオンであるためか、途中での吸着現象が起こり、目標領域での薬物の取り込みが減少し、投薬効率が悪くなるとともに、体内の健康部位での薬物吸着による副作用の一因ともなる。本法では、投薬の薬物液滴の外周囲が負イオン化しており、体内途中での吸着防止がなされ、治療対象部位での薬物の投与収率が向上し、効率の良い投薬が可能となる。
【００６９】
抗がん剤等の医薬品をｐＨ７〜８．６の弱アルカリ水に混合し、その混合液、あるいは表面水混合液を気化させると、電気２重層により、医薬品水溶液の液滴の外側周囲が負イオンとなり、アルカリ質である体内での吸着が防がれ医薬品が簡便で効率良く、肺からの吸収が可能となる。
【００７０】
なお、気化は微細水滴あるいは超微細水滴の霧化、噴霧等による水あるいは液体の空気中への蒸散、放出等を含む。
【００７１】
【発明の効果】
以上の実施例から明らかなように、本発明によれば、水を電離する水電離手段と、前記水電離手段により電離した水の表面水を気化させる表面水気化手段を備え、前記表面水気化手段が、電離した表面水の上澄みの表面水を集水する表面水集水手段と前記表面水集水手段により集水された電離した表面水の上澄みの表面水を超音波気化させる超音波気化手段を備えることにより、また、水電離手段が、磁石で水に磁場を与える、電磁石で水に電磁場を与える、あるいは電気石を水に浸漬することであることを特徴とする請求項１記載の気化器とすることにより、水クラスターの小さい、還元性のある負イオンを効率良く多量に気化させることができるという効果のある気化器を提供できる。なお、水は水溶液でも良い。
【００７２】
また、浸透性に優れ、活性酸素中和機能、肌あるいはのどに潤いを持たせることができ、あるいはリラクゼーション効果のある負イオンを多量に生成、気化させることができるという効果のある気化器を提供できる。
【００７３】
また、気化した水を電離させることにより、水クラスターが小さく、還元性のある負イオンを効率良く多量に、空気中に供給することができるという効果のある気化器を提供できる。
【００７４】
参考例として、薬液の外周側を負イオン化し、肺胞への途中で体内に吸着されることなく、肺での吸収の収率が高めれる気化器を提供できる
【図面の簡単な説明】
【図１】  本発明の実施例１の構成図
【図２】  同電気２重層モデル図
【図３】  同実施例１の構成図
【図４】  同構成図
【図５】  同表面水気化構成図
【図６】  同表面水気化構成図
【図７】  参考例の気化電離構成図
【図８】  参考例の薬液の液滴の電離状態のモデル図
【図９】  従来の気化構成図
【符号の説明】
１  赤外線ランプ
２  負イオン
３  正イオン
４  正電極
５  負電極
６  直流電源
７  電気石
８  布
９  一端
１０  他端
１１  堰
１２  集水槽
１３  超音波振動子
１４  電磁石
１５  電磁場
１６  医薬品
１７  薬液の液滴
【図１】
0004326767.tif 000002
【図２】
0004326767.tif 000003
【図３】
0004326767.tif 000004
【図４】
0004326767.tif 000005
【図５】
0004326767.tif 000006
【図６】
0004326767.tif 000007
【図７】
0004326767.tif 000008
【図８】
0004326767.tif 000009
【図９】
0004326767.tif 000010